(57)【要約】ドラム用の取付けブラケットは、開示される。取付けブラケットは、内面および外面を有し、そして、ドラムのリムを係合するように構成されるリム係合部、ドラムの爪を係合するように構成される爪係合部、内面の上部から底部まで延びていて、張力ロッドにまたがるように構成される張力ロッド・チャネル、および、取付けブラケットの外面の上部から底部まで延びている少なくとも１つの支持ガイド、を含む。【選択図】図１
2014533849.tif 000002
【特許請求の範囲】
【請求項１】
内面および外面を定める上部、底部、前部および背部を有する取付けブラケットであって、
前記ブラケットがドラムに取り付けられるときに、前記ドラムのリムを係合するように構成されるリム係合部、
前記ブラケットが前記ドラムに取り付けられるときに、前記ドラムの爪を係合するように構成される爪係合部、
前記内面の前記上部から前記底部まで延びていて、前記ブラケットが前記ドラムに取り付けられるときに、張力ロッドにまたがるように構成される張力ロッド・チャネル、および、
前記取付けブラケットの前記外面の前記上部から前記底部まで延びている少なくとも１つの支持ガイド、
を含む取付けブラケット、
を備える、リムおよび爪に取り付けられる張力ロッドを有する爪を有するドラム用の取付けブラケット。
【請求項２】
前記リム係合部は、前記張力ロッド・チャネルから離れて位置する前記取付けブラケットの前記上部から延びている少なくとも１つのブラケットを備える、請求項１に記載の取付けブラケット。
【請求項３】
前記リム係合部は、一対の離れて位置するブラケットを備える、請求項２に記載の取付けブラケット。
【請求項４】
前記取り付けブラケットは、第１の支持ガイドおよび第２の支持ガイドを含み、前記第２の支持ガイドは、前記第１の支持ガイドから離れて位置し、前記第１および第２の支持ガイドは、互いに平行であり、かつ、前記取付けブラケットが前記ドラムに取り付けられるときにドラムのヘッドに対して垂直である長手方向軸線を有する、請求項１に記載の取付けブラケット。
【請求項５】
前記支持ガイドは、少なくとも１つの磁石を含む、請求項１に記載の取付けブラケット。
【請求項６】
前記支持ガイドは、プレス嵌めを用いて支持体を固定するように寸法取りされる、請求項１に記載の取付けブラケット。
【請求項７】
前記爪係合部は、前記爪を取り外し可能に係合するように構成される、請求項１に記載の取付けブラケット。
【請求項８】
爪アセンブリであって、
第１端部および反対の第２端部を有し、前記第１端部から前記第２端部まで延びている張力ロッド溝を有する、フック部材、
内面および外面を定める上部、底部、前部および背部を有する爪ハウジングであって、前記爪ハウジングは、前記爪ハウジングの前記内面の前記上部から前記底部まで延びている張力ロッド・チャネルを含み、前記フック部の寸法は、前記張力ロッド・チャネルに適合する、爪ハウジング、
前記爪アセンブリに着脱自在に取り付けられて、内面および外面を定める上部、底部、前部および背部を有するブリッジ・ハウジングであって、前記ブリッジ・ハウジングの上部は、第１の切欠きを有して、前記第１の切欠きは、前記ブリッジ・ハウジングが前記爪ハウジングに取り付けられるときに前記張力ロッド・チャネルと整列され、前記ブリッジ・ハウジングの上部は、第２の切欠きを有して、前記第２の切欠きは、前記ブリッジ・ハウジングが前記爪ハウジングに取り付けられるときに前記張力ロッド・チャネルと整列される、ブリッジ・ハウジング、および、
前記ブリッジ・ハウジングの前記外面の前記上部から前記底部まで延びている少なくとも１つの支持ガイド、
を含む爪アセンブリ、
を備える、リムおよび爪に取り付けられる張力ロッドを有する爪を有するドラム用の取付けブラケットアセンブリ。
【請求項９】
前記爪ハウジングの前記外面の少なくとも一部は、前記ブリッジ・ハウジングの前記内面の少なくとも一部に接する、請求項８に記載の取付けブラケットアセンブリ。
【請求項１０】
前記外面の合わせる部分は、前記内面の合わせる部分に含まれる異極性の磁石と整列される磁石を含む、請求項８に記載の取付けブラケットアセンブリ。
【請求項１１】
前記爪ハウジングは、前記張力ロッド・チャネルから離れて位置する前記取付けブラケットの前記上部から延びている少なくとも１つのブラケットを備える、請求項８に記載の取付けブラケットアセンブリ。
【請求項１２】
前記爪ハウジングは、一対の離れて位置するブラケットを備える、請求項８に記載の取付けブラケットアセンブリ。
【請求項１３】
前記ブリッジ・ハウジングは、第１の支持ガイドおよび第２の支持ガイドを備え、前記第２の支持ガイドは、前記第１の支持ガイドから離れて位置し、各支持ガイドは、少なくとも２つの直交するように方向づけられた平坦な側部を有し、前記支持ガイドの各々についての平坦な側部のうちの１つは、前記ブリッジ・ハウジングの前記背部の一部を形成する、請求項８に記載の取付けブラケットアセンブリ。
【請求項１４】
前記支持ガイドは、少なくとも１つの磁石を含む、請求項８に記載の取付けブラケットアセンブリ。
【請求項１５】
前記支持ガイドは、プレス嵌めを用いて支持体を固定するように寸法取りされる、請求項８に記載の取付けブラケットアセンブリ。
【請求項１６】
前記フック部材は、前記ブラケットが前記ドラムに取り付けられるときに、第１端部が前記ドラムの爪を係合する第１位置と、前記第１端部が前記ドラムの前記爪を係合しない第２位置との間を移動可能である、請求項８に記載の取付けブラケットアセンブリ。
【請求項１７】
前記フック部材の第２端部は、前記爪アセンブリに枢支的に取り付けられる、請求項８に記載の取付けブラケットアセンブリ。
【請求項１８】
前記爪アセンブリは、調音部材をさらに備え、前記フック部材は、前記調音部材に枢支的に取り付けられる、請求項１７に記載の取付けブラケットアセンブリ。
【請求項１９】
前記調音部材は、前記張力ロッド・チャネルの範囲内で移動可能である、請求項１７に記載の取付けブラケットアセンブリ。
【請求項２０】
前記爪ハウジングは、調音部材の動きをばね付勢するように構成される、請求項８に記載の取付けブラケットアセンブリ。
【請求項２１】
ドラムに取り外し可能に取り付けられる可撓性パネルを有するドラムを備える、ドラムアセンブリ。
【請求項２２】
ドラムに取り付けられるＬＥＤパネルを有するドラムを備える、ドラムアセンブリ。
【請求項２３】
前記ＬＥＤパネルは、可撓性である、請求項２２に記載のドラムアセンブリ。
【請求項２４】
前記ＬＥＤパネルは、前記ドラムに取り外し可能に取り付けられる、請求項２３に記載のドラムアセンブリ。
【発明の詳細な説明】
【技術分野】
【０００１】
（関連出願についての相互参照）
本願は、２０１１年１１月２３日に出願された「ＭＯＵＮＴＩＮＧ  ＢＲＡＣＫＥＴ  ＡＮＤ  ＭＯＵＮＴＩＮＧ  ＢＲＡＣＫＥＴ  ＡＳＳＥＭＢＬＹ  ＤＲＵＭ」と題する米国特許仮出願番号第６１／５６３，５３５号の優先権を主張し、そしてそれは、参照により本明細書に完全に組み込まれる。
【背景技術】
【０００２】
本発明は、機械の技術に関する。特に、本発明は、ドラムにパネルを取り付けるための取付けブラケットに関する。
【０００３】
音楽のコンサートの観衆は、音声経験に伴ってより多くの視覚的コンポーネントを求めるようになってきた。したがって、パフォーマンスの間、ドラムが演奏されるとともにドラム上の視覚的ディスプレイを有する取付けパネルによって演奏会の常連客の経験を強化することは、切実な要求である。効果的であるために、ドラマーは、取付けブラケットおよびパネルを押しつけがましいと分かってはならず、そして、取付けブラケットおよびパネルは、ドラムの音に影響を及ぼしてはならない。したがって、ドラム取付けおよびパネルがドラマーのパフォーマンスまたはドラムのパフォーマンスのいずれも邪魔しないことは、さらに切実な要求である。加えて、取り付けは、パフォーマンスが開始する前に単純でなければならず、そして、一旦パフォーマンスが終わったら、単純に取り外されなければならない。したがって、ドラム取付けにとって、インストールするのがそして取り外すのが容易であることは、さらなる切実な要求である。
【発明の概要】
【課題を解決するための手段】
【０００４】
目下、本発明によれば、これらのおよび関連したニーズを解決する、単純でかつ有効な取付けブラケットは、見つかった。いくつかの態様において、取付けブラケットは、内面および外面を定める上部、底部、前部および背部を有し、そして、ブラケットがドラムに取り付けられるときに、ドラムのリムを係合するように構成されるリム係合部、ブラケットがドラムに取り付けられるときに、ドラムの爪を係合するように構成される爪係合部、および、内面の上部から底部まで延びていて、ブラケットがドラムに取り付けられるときに、張力ロッドにまたがるように構成される張力ロッド・チャネル、さらに、取付けブラケットの外面の上部から底部まで延びている少なくとも１つの支持ガイド、を含む。
【０００５】
いくつかの態様において、リム係合部は、張力ロッド・チャネルから離れて位置する取付けブラケットの上部から延びている少なくとも１つのブラケットを備え、そして、いくつかの態様において、リム係合部は、一対の離れて位置するブラケットを備える。いくつかの態様において、取り付けブラケットは、第１の支持ガイドおよび第２の支持ガイドを含み、第２の支持ガイドは、第１の支持ガイドから離れて位置し、第１および第２の支持ガイドは、互いに平行であり、かつ、取付けブラケットがドラムに取り付けられるときにドラムのヘッドに対して垂直である長手方向軸線を有する。いくつかの態様において、支持ガイドは、少なくとも１つの磁石を含む。いくつかの態様において、支持ガイドは、プレス嵌めを用いて支持体を固定するように寸法取りされ、そして、いくつかの態様において、爪係合部は、爪を取り外し可能に係合するように構成される。
【０００６】
いくつかの態様において、取付けブラケットは、爪アセンブリを含むアセンブリを備える。そして爪アセンブリは、第１端部および反対の第２端部を有するフック部材、内面および外面を定める上部、底部、前部および背部を有する爪ハウジング、および、爪アセンブリに取り外し可能に取り付けられて、内面および外面を定める上部、底部、前部および背部を有するブリッジ・ハウジング、を有する。フック部材は、第１端部から第２端部まで延びている張力ロッド溝を含む。爪ハウジングは、内面の上部から底部まで延びていて、フック部材を受け入れるように寸法取りされる張力ロッド・チャネルを含む。ブリッジ・ハウジングは、ブリッジ・ハウジングの外面の上部から底部まで延びている少なくとも１つの支持ガイドを含む。ブリッジ・ハウジングの上部は、ブリッジ・ハウジングが爪ハウジングに取り付けられるときに張力ロッド・チャネルと整列される第１、第２の切欠きを含む。
【０００７】
いくつかの態様において、爪ハウジングの外面の少なくとも一部は、ブリッジ・ハウジングの内面の少なくとも一部に合わせる（ｃｏｎｆｏｒｍ）。そして、いくつかの態様において、外面は、内面の合わせる部分に含まれる異極性の磁石と整列される磁石を含む。
【０００８】
いくつかの態様において、ハウジングは、張力ロッド・チャネルから離れて位置する取付けブラケットの上部から延びている少なくとも１つのブラケットを含む。そして、いくつかの態様において、爪ハウジングは、一対の離れて位置するブラケットを含む。
【０００９】
いくつかの態様において、支持ガイドは、少なくとも１つの磁石を含む。そして、いくつかの態様において、支持ガイドは、プレス嵌めを用いて支持体を固定するように寸法取りされる。いくつかの態様において、ブリッジ・ハウジングは、第１の支持ガイドおよび第２の支持ガイドを備え、第２の支持ガイドは、第１の支持ガイドから離れて位置し、各支持ガイドは、少なくとも２つの直交するように方向づけられた平坦な側部を有し、支持ガイドの各々についての平坦な側部のうちの１つは、ブリッジ・ハウジングの背部の一部を形成する。
【００１０】
いくつかの態様において、フック部材は、ブラケットがドラムに取り付けられるときに、第１端部がドラムの爪を係合する第１位置と、第１端部がドラムの爪を係合しない第２位置との間を移動可能である。そして、いくつかの態様において、フック部材の第２端部は、爪アセンブリに枢支的に取り付けられる。
【００１１】
いくつかの態様において、爪アセンブリは、調音部材をさらに備え、フック部材は、調音部材に枢支的に取り付けられる。いくつかの態様において、調音部材は、前記張力ロッド・チャネルの範囲内で移動可能である。そして、いくつかの態様において、爪ハウジングは、調音部材の動きをばね付勢するように構成される。
【図面の簡単な説明】
【００１２】
【図１】図１は、特定のドラム・コンポーネントと一緒の本発明の一実施形態による取付けブラケットの分解立体図である。
【図２】図２は、第２実施形態による取付けブラケットの斜視図である。
【図３】図３は、図２に示される取付けブラケットの底面図である。
【図４】図４は、図２に示される取付けブラケットの上面図である。
【図５】図５は、図２に示される取付けブラケットの正面図である。
【図６】図６は、図２に示される取付けブラケットの背面図である。
【図７】図７は、図２に示される取付けブラケットの側面図である。
【図８】図８は、図２に示される取付けブラケットを含むドラムの平面図である。
【発明を実施するための形態】
【００１３】
図１は、取付けブラケット１０および特定のドラム・コンポーネントの斜視図である。取付けブラケットは、爪アセンブリ１４に着脱自在に取り付けられるブリッジ・ハウジング１２を備える。ブリッジ・ハウジングは、金属および、いくつかの好ましい実施形態ではプラスチック、を含む任意の適切な材料製であることができる。
【００１４】
加えて、図２の分解立体図を参照して、いくつかの実施形態において、ブリッジ・ハウジング１２は、実質的に平坦な上面を有する上部１６、上面に平行な実質的に平坦な底面を有する底部１８、上面および底面に直交する実質的に平坦な前面を有する前部２４、上面および底面に直交してかつ前面に平行な実質的に平坦な背面を有する背部２８、および、各々が上面および底面に直交してかつ前面および背面に平行な実質的に平坦な側面を有する相反対の側部３４、を有することが分かる。上部、底部、前部、背部および相反対の側部は、外面４０および内面４２を一緒に定める。
【００１５】
それぞれ第１、第２の凹んだ支持ガイド４４、４６は、ブリッジ１２の前部２４において形成されて、取付けブラケットの外面４０の上部１６から底部１８まで延びる。第１、第２の支持ガイドは、離れていて、そして、互いに平行でかつ、ブラケット１０がドラム（図８）上に取り付けられるときに、ドラム１５０のヘッドに対して垂直な長手方向軸線を有する。
【００１６】
支持ガイド４４、４６は、任意の適切な断面形状を有することができる。図１に示す実施形態において、各ガイドは、ブリッジの前部２４および、側部３４のうちの各１つのエッジに沿って形成される。各支持ガイドは、ブリッジ１２の前面に開口している切欠きである。そして、各ガイドの切欠きは、支持ガイドの長手方向軸線に平行に方向づけられた同一の幅および長さを有する２つの平坦な側部４８を有する。
【００１７】
図２に示す実施形態において、各支持ガイド４４、４６は、ブリッジ１２の前部２４において形成されて、そして、ブリッジ１２の側部３４のうちの１つから離れて位置する。各々は、ブリッジ・ハウジングの前面に開口するガイド切欠きであり、そして、各ガイド切欠きは、支持ガイドの長手方向軸線に平行な３つの平坦な側部５２、５４、５６を有する。
【００１８】
加えて、図３〜図７を参照して、ブリッジ１２の前部２４に向かって背部２８から延びる上部１６において、周囲面を有する爪切欠き５８が中央に設けられることが分かる。ブリッジの前部に向かって背部から延びる底部２０において、周囲面を有する爪ハウジング切欠き６０は、中央に設けられる。
【００１９】
爪アセンブリ１４に変わって、爪アセンブリは、爪ハウジング６２、調音部材６４、および爪係合部（例えば、ブラケットがドラムに取り付けられたときにドラムの爪を係合するように構成されるフック部材６６）を含む。いくつかの態様において、爪係合部は、爪を取り外し可能に係合するように構成される。
【００２０】
いくつかの実施形態において、爪ハウジングは、外面７６を一緒に定める上部６８、底部、前部７０、背部７１および相反対の側部、ならびに周囲面を有する張力ロッド・チャネル７８を有する。爪ハウジングおよびブリッジ・ハウジングが互いに取り付けられるときに爪ハウジングの少なくとも一部がブリッジ・ハウジング内に収容される（ｎｅｓｔ）ように、爪ハウジングの外面の少なくとも一部は、ブリッジ・ハウジング１２の内面４２に一般に一致する（ｃｏｎｆｏｒｍ）。張力ロッド・チャネルの周囲面の形状および寸法は、爪ハウジング６０の周囲面の形状および寸法と同様である。
【００２１】
張力ロッド・チャネル７８の各々の側部に１つの一対のばね孔８８は、爪ハウジング６２の上部６８から爪ハウジングを通って延びて、後壁（図示せず）で終わる。各ばね孔の直径は、ばね９０を受け入れるように寸法取りされる。
【００２２】
爪ハウジング６２の前部７０は、張力ロッド・チャネル７８から外向きに延びて、そして、爪ハウジング６２がブリッジ・ハウジング１２に取り付けられるときに、ブリッジ・ハウジング１２の背部２８の少なくとも一部に平行でかつそれに接する実質的に平坦面を有する。
【００２３】
取付けブラケットは、ブラケットがドラムに取り付けられるときにドラムのリムを係合するように構成されるリム係合部を含む。一態様において、ドラム１５０（図８）のリム１５２を係合するように構成される一対のブラケット９４は、爪ハウジング６２の上部６８から張力ロッド・チャネル７８から離れる方へ延びている。ブラケットは、いかなる好適な形も有することができる。いくつかの態様において、ブラケットは、ドラムの特定モデルの形状に輪郭を描く。
【００２４】
調音部材６４は、上部９８、底部１００、周囲を有する外面１０２および周囲を有する内面１０４、を有するメインボディ９６を有する。メインボディの外面の周囲の形状および寸法は、爪ハウジング６２の外面７６の周囲の少なくとも一部の形状および寸法に対応する。一方、メインボディの内面の周囲のおよび外面の周囲の形状および寸法は、張力ロッド・チャネル７８の周囲のおよびドラム張力切欠き５８の周囲の形状および寸法に対応する。その結果、調音部材は、張力ロッド・チャネル７８の中で移動可能である。
【００２５】
いくつかの態様において、爪ハウジング６２は、張力ロッド・チャネル７８の中で調音部材６４の移動をばね付勢するように構成される。内側周囲１０４の各々の側部に１つの一対のねじ付き段付きボルト孔１０８は、メインボディ９６の上部９８および底部を通って延びる。段付きボルト孔は、爪ハウジングの背壁の孔（図示せず）と整列される。そうすると、ばね９０がばね孔８８に位置するときに、ばねの一端は、背壁に接する。座金１１０は、ばねの他端に配置される。そして、段付きボルト１１１は、ばねを通って、背壁の孔を通って、ねじ付き段付きボルト孔に挿入される。段付きボルト１１２の頭部は、座金を係合する。その一方で、ねじ部１１３は、ねじ付き段付き孔にねじ込まれる。
【００２６】
一対の離れて位置する枢軸ヒンジ１１４は、メインボディ９６の底部１００から外向きに延びる。フック部材６６は、離れて位置するヒンジ間の距離に等しい直径を有する。フック部材は、第１端部１１６および第２端部１１７を有する。フック部材の第１端部１１６は、離れて位置する枢軸ヒンジと整列される開口１１８を有し、そして、枢支ピン１１９を用いて調音部材に回動可能に固着される。そうすると、フック部材は、ブラケットがドラムに取り付けられるときに、第２端部がドラムの爪を係合する第１位置と、第２端部がドラムの爪を係合しない第２位置との間を移動可能である。
【００２７】
ドラム１５０（図８）の張力ロッド１４０を収容するように構成される張力ロッド溝１２０は、フック部材の長さに沿って形成される。フック部材は、調音部材６４の底部１００および張力ロッド・チャネル７８を適合させるように寸法取りされる。
【００２８】
ドラム１５０の爪１２２（図８にカバーとともに示される）は、上面１２６および底面１２８を有して、両面を延びている張力ロッド孔１３０を有する、ボディ部１２４を有する。ブラケット部１３２は、爪の上面から延びる。ブラケット部の前面は、第２の張力ロッド・チャネル１３６を含む。
【００２９】
ブリッジ・ハウジング１２および爪アセンブリ１４は、任意の適切な手段によって互いに着脱自在に取り付けられる。いくつかの実施形態において、一対のくぼみ（ｄｅｐｒｅｓｓｉｏｎ）（図示せず）は、爪切欠き５８の各々の側部においてブリッジ・ハウジング１２の底部２０に位置する。１対の対応するくぼみ１４６（図１に１つ示す）は、張力ロッド・チャネル７８の各々の側部において爪ハウジング６２の上部６８に位置し、そして、ブリッジ・ハウジング１２およびブリッジアセンブリが取り付けられるときに、ブリッジ・ハウジングの底部上のくぼみとともに整列される。異極性の磁石（図示せず）は、対応するくぼみの各々に位置する。その結果、相補面が一緒にもたらされるときに、ブリッジアセンブリは、爪ハウジングに磁気的に固着される。
【００３０】
図１、図８を参照すると、稼動中に、一対の取付けブラケット１０は、ドラム１５０の相反対の側部の相反対のリム１５２上に配置される。フック部材６６を露出させるために調音部材６４を引き下げて、ドラムのねじりロッド（ｔｏｒｓｉｏｎｉｎｇ  ｒｏｄ）１４０の上にフック部材の張力ロッド溝１２０を配置して、そしてフック部材の第２端部１１７をドラムの爪１２２に係合させて、ドラムのリムの上までブラケットを延ばして、そして取付けブラケットをそこにスリップインさせることによって、ブラケットが簡単に取り付けられることができることは、本発明の異る利点である。
【００３１】
両方の取り付けブラケットがドラム１５０に取り付けられた後、支持体１５４は、整列された支持ガイドの各対に位置されることができる。支持体は、任意の適切な材料（例えば金属またはプラスチック）製であることができる。いくつかの実施形態において、支持体は、強磁性体でできている。支持体は、任意の適切な断面を、そして好ましくは、それが配置される支持ガイドの断面に対応する断面を有することができる。支持体は、任意の好適なやり方によって固定される。いくつかの態様において、支持ガイドは、プレス嵌めを用いて支持体を固定するように寸法取りされる。そして、いくつかの態様において、支持体の側部５４のくぼみに磁石（図示せず）が置かれる。
【００３２】
予備成形されたまたは可撓性のパネルが支持体に取り付けられることができて、したがって、ドラム１５０に取り外し可能に取り付けられることができることは、本発明の他の利点である。パネルは、任意の適切な構造および材料でありえる。例えば、いくつかの態様において、パネルは、可撓性基体１２の第１側部に取り付けられる可撓性ハウジング、および可撓性基体の第２側部に取り付けられる可撓性カバーを備える可撓性ＬＥＤ表示パネルである。可撓性カバーは、ＬＥＤによって発せられる光の通過を可能にする開口の配列またはマトリックスを備える。カバーは、周囲の光を反射して、表示モジュールのコントラスト比を改善する。ハウジングおよびカバーは、プラスチック材料（例えば熱可塑性ウレタン）製であることができる。いくつかの実施形態において、少なくとも１つの磁石は、強磁性体でできている支持体にパネルを取り付けるための可撓性ハウジングに連結される適切な、可撓性の、ＬＥＤ表示パネルは、米国特許公開第２０１１／０１８１４９４号に記載されている。そしてその刊行物は、参照によって本明細書に組み込まれる。
【００３３】
前述の説明において、本発明のさまざまな態様は、特定の例示的実施形態に関して記載された。しかしながら、さまざまな修正および変更は、本発明の範囲を逸脱しない範囲でなされてよい。明細書および図面は、限定的であるというよりはむしろ例示するものである。そして、修正は、本発明の範囲内に含まれることを意図する。したがって、本発明の範囲は、記載された例だけによってよりはむしろ、請求項およびそれらの正当な等価物によって決定されなければならない。上記の特定の実施形態に関して、いかなる利点、有利さ、課題の解決、または、いかなる特定の利点、有利さまたは解決を生じさせるかまたはより宣言させるいかなる要素も、いずれかのまたはすべての請求項の臨界的、必要的、または基本的特徴またはコンポーネントとして解釈されることになってはいない。
【００３４】
本明細書において、用語「備える」、「有する」、「含む」またはそのいかなる変化も、要素のリストから成るプロセス、方法、物品、構成または装置が詳述されるそれらの要素だけを含むのではなく、はっきりとリストされるかまたはこの種のプロセス、方法、物品、構成または装置に固有の他の要素を含んでよいように、非排他的な包含を参照することを意図する。本発明の実施において使用する上記の構造、配置、適用、規模、要素、材料またはコンポーネントの他の組合せおよび／または修正は、特に詳述されないそれらに加えて、本発明の一般法則を逸脱しない範囲で、変化してよく、または特定の環境、製造仕様、設計パラメータ、もしくは他の稼動要件に特に適合してよい。
【図１】
2014533849.tif 000003
【図２】
2014533849.tif 000004
【図３】
2014533849.tif 000005
【図４】
2014533849.tif 000006
【図５】
2014533849.tif 000007
【図６】
2014533849.tif 000008
【図７】
2014533849.tif 000009
【図８】
2014533849.tif 000010
【国際調査報告】
2014533849.tif 000011